【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
第１画像と第２画像とを表示し、前記第１画像と前記第２画像とに基づく視差によって立体像を立体視させる表示部と、
前記表示部の表示方向における物体を検出する検出部と、
前記検出部で検出された前記物体によって、前記立体像が遮られた部分に基づいて前記第１画像又は前記第２画像の表示を制御する制御部と、を備える
表示装置。
【請求項２】
前記制御部は、前記立体像が遮られた部分に基づいて、前記第１画像又は前記第２画像の表示を制御し、視差を減少させる
請求項１に記載の表示装置。
【請求項３】
前記制御部は、前記立体像が遮られた部分が所定値よりも大きい場合前記視差を減少させ、前記立体像が遮られた部分が所定値よりも小さい場合前記視差を変更させない
請求項１又は請求項２に記載の表示装置。
【請求項４】
前記制御部は、前記第１画像又は前記第２画像の表示を制御し、前記検出部によって検出された前記物体と前記表示部との間に前記立体像を表示する
請求項１から請求項３までのいずれか１項に記載の表示装置。
【請求項５】
前記制御部は、前記立体像が遮られた部分に前記立体像の外周が所定値よりも多く含まれる場合、前記第１画像又は前記第２画像の表示を制御し、視差を減少させる
請求項１から請求項４までのいずれか１項に記載の表示装置。
【請求項６】
前記制御部は、前記表示部の位置と前記物体の位置又は大きさ又は形状とに基づいて前記立体像が遮られた部分を判定し、判定された前記立体像が遮られた部分に基づいて前記第１画像又は前記第２画像の表示を制御する
請求項１から請求項５までのいずれか１項に記載の表示装置。
【請求項７】
前記制御部は、前記表示部の位置と前記物体の位置又は大きさ又は形状とユーザの位置とに基づいて前記立体像が遮られた部分を判定し、判定された前記立体像が遮られた部分に基づいて前記第１画像又は前記第２画像の表示を制御する
請求項１から請求項５までのいずれか１項に記載の表示装置。
【請求項８】
前記検出部は、ユーザの胴体又は腕の位置に基づいて前記ユーザの目線位置を検出し、
前記制御部は、前記物体の位置と前記目線位置と前記表示部の位置とに基づいて前記立体像が遮られた部分を判定し、判定された前記立体像が遮られた部分に基づいて前記第１画像又は前記第２画像の表示を制御する
請求項１から請求項５までのいずれか１項に記載の表示装置。
【請求項９】
前記第１画像又は前記第２画像の空間周波数成分を検出する空間周波数検出部を備え、
前記制御部は、前記空間周波数検出部で検出された前記空間周波数成分に基づいて前記第１画像又は前記第２画像の表示を制御する
請求項１から請求項８までのいずれか１項に記載の表示装置。
【請求項１０】
前記検出部は手を検出する
請求項１から請求項９までのいずれか１項に記載の表示装置。
【請求項１１】
第１画像と第２画像とを表示部に表示し、前記第１画像と前記第２画像とに基づく視差によって立体像を立体視させる処理と、
前記表示部の表示方向における物体を検出する処理と、
検出された前記物体によって、前記立体像が遮られた部分に基づいて前記第１画像又は前記第２画像の表示を制御する処理と、
をコンピュータに実行させるプログラム。
【請求項１２】
第１画像と第２画像とを表示部に表示し、前記第１画像と前記第２画像とに基づく視差によって立体像を立体視させる方法と、
前記表示部の表示方向における物体を検出する方法と、
検出された前記物体によって、前記立体像が遮られた部分に基づいて前記第１画像又は前記第２画像の表示を制御する方法と、
を含む表示方法。
【請求項１３】
画像を表示面に表示し、前記表示面とは異なる位置に前記画像に基づく像を表示する表示部と、
物体を検出する検出部と、
前記検出部で検出された前記物体の大きさ又は形状に基づいて前記表示部を制御する制御部と、を備える
表示装置。
【請求項１４】
前記検出部は、撮影部によって撮影された撮影画像に基づいて前記物体を検出し、
前記制御部は、前記撮影画像に含まれる前記物体の領域によって判定された前記物体の大きさ又は形状に基づいて前記表示部を制御する
請求項１３に記載の表示装置。
【請求項１５】
前記検出部は、所定領域にある物体を検出する
請求項１３又は請求項１４に記載の表示装置。
【請求項１６】
前記制御部は、前記検出部で検出された前記物体の大きさ又は形状に基づいて前記表示部を制御し、前記像が表示される位置を変更する
請求項１３から請求項１５までのいずれか１項に記載の表示装置。
【請求項１７】
前記制御部は、前記表示部を制御し、前記検出部によって検出された前記物体と前記表示部との間に前記像を表示する
請求項１３から請求項１６までのいずれか１項に記載の表示装置。
【請求項１８】
前記検出部は、手を検出する
請求項１３から請求項１７までのいずれか１項に記載の表示装置。
【請求項１９】
前記表示部は、第１画像と第２画像とを表示し、前記第１画像と前記第２画像とに基づく視差によって前記像を立体視させ、
前記制御部は、前記検出部で検出された前記物体の大きさ又は形状に基づいて前記第１画像又は前記第２画像の表示を制御し、前記視差を変更する
請求項１３から請求項１８までのいずれか１項に記載の表示装置。
【請求項２０】
画像を表示面に表示し、前記表示面とは異なる位置に前記画像に基づく像を表示する処理と、
物体を検出する処理と、
検出された前記物体の大きさ又は形状に基づいて前記画像に基づく像を制御する処理と、をコンピュータに実行させる
プログラム。
【請求項２１】
画像を表示面に表示し、前記表示面とは異なる位置に前記画像に基づく像を表示する方法と、
物体を検出する方法と、
検出された前記物体の大きさ又は形状に基づいて前記画像に基づく像を制御する方法と、を含む
表示方法。
【請求項２２】
視差に基づく立体像を表示する表示部と、
前記表示部の表示方向における物体を検出する検出部と、
前記検出部で検出された前記物体によって、前記立体像が遮られた部分に基づいて第１画像又は第２画像の表示を制御する制御部と、を備える
表示装置。
【請求項２３】
表示部によって表示される第１画像と前記表示部によって表示される第２画像とに基づく視差による立体像が、検出部によって検出された物体によって遮られた部分に基づいて前記第１画像又は前記第２画像の表示を制御する制御部を備える
表示装置。
【手続補正２】
【補正対象書類名】明細書
【補正対象項目名】発明の名称
【補正方法】変更
【補正の内容】
【発明の名称】表示装置、表示方法及びプログラム
【手続補正３】
【補正対象書類名】明細書
【補正対象項目名】０００５
【補正方法】変更
【補正の内容】
【０００５】
本発明は、このような状況に鑑みてなされたもので、三次元表示においてユーザの違和感や疲労感を軽減させる表示装置、表示方法及びプログラムを提供する。
【手続補正４】
【補正対象書類名】明細書
【補正対象項目名】０００６
【補正方法】変更
【補正の内容】
【０００６】
上述した課題を解決するために、本発明の一形態は、第１画像と第２画像とを表示し、前記第１画像と前記第２画像とに基づく視差によって立体像を立体視させる表示部と、前記表示部の表示方向における物体を検出する検出部と、前記検出部で検出された前記物体によって、前記立体像が遮られた部分に基づいて前記第１画像又は前記第２画像の表示を制御する制御部と、を備える表示装置である。
また、本発明の一形態は、第１画像と第２画像とを表示部に表示し、前記第１画像と前記第２画像とに基づく視差によって立体像を立体視させる処理と、前記表示部の表示方向における物体を検出する処理と、検出された前記物体によって、前記立体像が遮られた部分に基づいて前記第１画像又は前記第２画像の表示を制御する処理と、をコンピュータに実行させるプログラムである。
また、本発明の一形態は、第１画像と第２画像とを表示部に表示し、前記第１画像と前記第２画像とに基づく視差によって立体像を立体視させる方法と、前記表示部の表示方向における物体を検出する方法と、検出された前記物体によって、前記立体像が遮られた部分に基づいて前記第１画像又は前記第２画像の表示を制御する方法と、を含む表示方法である。
また、本発明の一形態は、画像を表示面に表示し、前記表示面とは異なる位置に前記画像に基づく像を表示する表示部と、物体を検出する検出部と、前記検出部で検出された前記物体の大きさ又は形状に基づいて前記表示部を制御する制御部と、を備える表示装置である。
また、本発明の一形態は、画像を表示面に表示し、前記表示面とは異なる位置に前記画像に基づく像を表示する処理と、物体を検出する処理と、検出された前記物体の大きさ又は形状に基づいて前記画像に基づく像を制御する処理と、をコンピュータに実行させるプログラムである。
また、本発明の一形態は、画像を表示面に表示し、前記表示面とは異なる位置に前記画像に基づく像を表示する方法と、物体を検出する方法と、検出された前記物体の大きさ又は形状に基づいて前記画像に基づく像を制御する方法と、を含む表示方法である。
また、本発明の一形態は、視差に基づく立体像を表示する表示部と、前記表示部の表示方向における物体を検出する検出部と、前記検出部で検出された前記物体によって、前記立体像が遮られた部分に基づいて第１画像又は第２画像の表示を制御する制御部と、を備える表示装置である。
また、本発明の一形態は、表示部によって表示される第１画像と前記表示部によって表示される第２画像とに基づく視差による立体像が、検出部によって検出された物体によって遮られた部分に基づいて前記第１画像又は前記第２画像の表示を制御する制御部を備える表示装置である。
【手続補正５】
【補正対象書類名】明細書
【補正対象項目名】０００７
【補正方法】削除
【補正の内容】